(57)【要約】【課題】  一度記録したメディアコンテンツを、携帯電話などの外部機器で再生可能とし、利便性を向上させる。【解決手段】  ＤＶＤ／ＨＤＤレコーダ７は、メディアコンテンツを内蔵チューナにより受信してＤＶＤ記録媒体や内蔵のＨＤＤに記録する。ＤＶＤ／ＨＤＤレコーダ７は、携帯電話９から再生出力要求があると、該当コンテンツの番組情報および時間情報（再生開始時刻＆再生終了時刻）を携帯電話９に転送する。携帯電話９は、ネットワークに接続し、放送システム１に該当コンテンツの番組情報、時間情報および機器情報を送信する。放送システム１は、番組情報からコンテンツを取り出し、時間情報からコンテンツの一部を切り出し、機器情報に従って携帯電話９で再生可能なファイル形式に変換して該携帯電話９に転送する。【選択図】  図１
2007006148.tif 000002
【特許請求の範囲】
【請求項１】
配信したメディアコンテンツを保存する保存手段と、
外部機器からの接続要求を検出する接続要求検出手段と、
この接続要求検出手段により接続要求が検出されると、前記外部機器からメディアコンテンツを特定するための番組情報と該メディアコンテンツの取得すべき部分を特定するための時間情報と前記外部機器を特定するための機器情報とを受信する受信手段と、
前記受信手段によって受信された番組情報に基づいて、前記保存手段に保存されているメディアコンテンツを取り出すコンテンツ取出手段と、
前記受信手段によって受信された時間情報に基づいて、前記コンテンツ取出手段によって取り出されたメディアコンテンツから一部を抽出するコンテンツ抽出手段と、
前記受信手段によって受信された機器情報に基づいて、前記コンテンツ抽出手段によって抽出されたメディアコンテンツの一部を、前記外部機器で再生可能なデータに変換する変換手段と、
この変換手段により変換されたデータを前記外部機器に転送する転送手段と
を具備することを特徴とする配信装置。
【請求項２】
前記コンテンツ取出手段によって取り出されたメディアコンテンツに複製を禁止する情報が付与されているか否かを判断する付与情報判断手段をさらに具備し、
前記変換手段は、前記付与情報判断手段によりメディアコンテンツに複製を禁止する情報が付与されていると判断された場合、当該メディアコンテンツを暗号化して、前記外部機器で再生可能なデータに変換することを特徴とする請求項１に記載の配信装置。
【請求項３】
配信装置から配信されたメディアコンテンツを記録する記録装置から送信される、前記メディアコンテンツを特定する番組情報を受信する第１の受信手段と、
前記配信装置にネットワークを介して接続する接続手段と、
前記接続手段によって接続された前記配信装置に、前記第１の受信手段により受信された番組情報と、当該装置を特定する機器情報とを送信する情報送信手段と、
前記番組情報と機器情報とに基づいて前記配信装置にてファイル変換されたメディアコンテンツを前記ネットワークを介して受信する第２の受信手段と
を具備することを特徴とする端末装置。
【請求項４】
配信装置から配信されたメディアコンテンツを記録する記録装置から送信される、前記メディアコンテンツを特定する番組情報を受信する第１の受信ステップと、
前記配信装置にネットワークを介して接続する接続ステップと、
前記接続ステップにて接続された前記配信装置に、前記第１の受信ステップにより受信された番組情報と、当該装置を特定する機器情報とを送信する情報送信ステップと、
前記番組情報と機器情報とに基づいて前記配信装置にてファイル変換されたメディアコンテンツを前記ネットワークを介して受信する第２の受信ステップと
からなることを特徴とするメディアコンテンツ受信方法。
【請求項５】
コンピュータに、
配信装置から配信されたメディアコンテンツを記録する記録装置から送信される、前記メディアコンテンツを特定する番組情報を受信する第１の受信手段、
前記配信装置にネットワークを介して接続する接続手段、
前記接続手段によって接続された前記配信装置に、前記第１の受信手段によって受信された番組情報と、当該装置を特定する機器情報とを送信する情報送信手段、
前記番組情報と機器情報とに基づいて前記配信装置にてファイル変換されたメディアコンテンツを前記ネットワークを介して受信する第２の受信手段
として実行させることを特徴とするメディアコンテンツ受信プログラム。
【発明の詳細な説明】
【技術分野】
【０００１】
本発明は、番組等のメディアコンテンツを配信する配信装置、放送され、記録装置に記録されたメディアコンテンツを受信する端末装置、メディアコンテンツ受信方法に関する。
【背景技術】
【０００２】
近年、デジタル地上波放送システムでは、一度記録した番組の複製を禁止する技術（コピーワンス）を採用する傾向にあり、外部機器に転送することは不可能である。詳細には、放送用専用チューナにＢ−ＣＡＳカードを挿入することにより、一度だけのメディアコンテンツの記録が可能になる。すなわち、記録したディアコンテンツを外部機器に転送して記録させようとすると、ムーヴ（メディアコンテンツの転送を許可するが、元の記録媒体から削除する）を除いて、複製することができず、メディアコンテンツの一部分のみであっても複製することは困難であった。
【０００３】
また、携帯電話に代表される端末装置では、外部ネットワーク接続機能や撮像機能をはじめ多種多様な機能を備えるまでに至っている。特に、長時間の動画再生機能を有する携帯電話に至っては、別途、地上波デジタル放送用のチューナを内蔵することにより、配信される番組等のメディアコンテンツを端末自身で受信して再生することが可能となっている（例えば、特許文献１参照）。その一方で、例えば、家庭内のデジタルレコーダに記録されたメディアコンテンツを複製・転送し、携帯電話をいわばメディアプレーヤとして用いるケースも増えてきている。
【０００４】
【特許文献１】特開２００５−０２６９１４号公報
【発明の開示】
【発明が解決しようとする課題】
【０００５】
しかしながら、上述したコピーワンス等によるメディアコンテンツの著作権保護等の問題もあることから、例え個人で楽しむことを目的にしていても、複製及び転送することを禁止することが考えられる。したがって、携帯電話単体で配信されるメディアコンテンツを記録再生する場合には、専用のデジタル地上波放送用チューナを内蔵する以外には手段がなく、利便性に欠けるという問題があった。
【０００６】
そこで本発明は、このような問題点に鑑みてなされるものであり、一度配信され記録された番組（メディアコンテンツ）を、携帯電話などの外部機器で再生することができる配信装置、端末装置、メディアコンテンツ受信方法を提供することを目的とする。
【課題を解決するための手段】
【０００７】
上記目的達成のため、請求項１記載の発明による配信装置は、配信したメディアコンテンツを保存する保存手段と、外部機器からの接続要求を検出する接続要求検出手段と、この接続要求検出手段により接続要求が検出されると、前記外部機器からメディアコンテンツを特定するための番組情報と該メディアコンテンツの取得すべき部分を特定するための時間情報と前記外部機器を特定するための機器情報とを受信する受信手段と、前記受信手段によって受信された番組情報に基づいて、前記保存手段に保存されているメディアコンテンツを取り出すコンテンツ取出手段と、前記受信手段によって受信された時間情報に基づいて、前記コンテンツ取出手段によって取り出されたメディアコンテンツから一部を抽出するコンテンツ抽出手段と、前記受信手段によって受信された機器情報に基づいて、前記コンテンツ抽出手段によって抽出されたメディアコンテンツの一部を、前記外部機器で再生可能なデータに変換する変換手段と、この変換手段により変換されたデータを前記外部機器に転送する転送手段とを具備することを特徴とする。
【０００８】
また、好ましい態様として、例えば請求項２記載のように、請求項１に記載の配信装置において、前記コンテンツ取出手段によって取り出されたメディアコンテンツに複製を禁止する情報が付与されているか否かを判断する付与情報判断手段をさらに具備し、前記変換手段は、前記付与情報判断手段によりメディアコンテンツに複製を禁止する情報が付与されていると判断された場合、当該メディアコンテンツを暗号化して、前記外部機器で再生可能なデータに変換するようにしてもよい。
【０００９】
また、上記目的達成のため、請求項３記載の発明による端末装置は、配信装置から配信されたメディアコンテンツを記録する記録装置から送信される、前記メディアコンテンツを特定する番組情報を受信する第１の受信手段と、前記配信装置にネットワークを介して接続する接続手段と、前記接続手段によって接続された前記配信装置に、前記第１の受信手段により受信された番組情報と、当該装置を特定する機器情報とを送信する情報送信手段と、前記番組情報と機器情報とに基づいて前記配信装置にてファイル変換されたメディアコンテンツを前記ネットワークを介して受信する第２の受信手段とを具備することを特徴とする。
【００１０】
また、上記目的達成のため、請求項４記載の発明によるメディアコンテンツ受信方法は、配信装置から配信されたメディアコンテンツを記録する記録装置から送信される、前記メディアコンテンツを特定する番組情報を受信する第１の受信ステップと、前記配信装置にネットワークを介して接続する接続ステップと、前記接続ステップにて接続された前記配信装置に、前記第１の受信ステップにより受信された番組情報と、当該装置を特定する機器情報とを送信する情報送信ステップと、前記番組情報と機器情報とに基づいて前記配信装置にてファイル変換されたメディアコンテンツを前記ネットワークを介して受信する第２の受信ステップとからなることを特徴とする。
【００１１】
また、上記目的達成のため、請求項５記載の発明によるメディアコンテンツ受信プログラムは、コンピュータに、配信装置から配信されたメディアコンテンツを記録する記録装置から送信される、前記メディアコンテンツを特定する番組情報を受信する第１の受信手段、前記配信装置にネットワークを介して接続する接続手段、前記接続手段によって接続された前記配信装置に、前記第１の受信手段によって受信された番組情報と、当該装置を特定する機器情報とを送信する情報送信手段、前記番組情報と機器情報とに基づいて前記配信装置にてファイル変換されたメディアコンテンツを前記ネットワークを介して受信する第２の受信手段として実行させることを特徴とする。
【発明の効果】
【００１２】
請求項１記載の発明によれば、配信されたメディアコンテンツを保存手段に保存させ、接続要求手段により外部機器からの接続要求を検出すると、その外部機器からメディアコンテンツを特定するための番組情報と該メディアコンテンツの取得すべき部分を特定するための時間情報を受信する。そして、コンテンツ取出手段は、受信された番組情報に基づいて保存されているメディアコンテンツを取り出し、コンテンツ抽出手段が受信された時間情報に基づいて、取り出されたメディアコンテンツから一部を抽出する。抽出されたメディアコンテンツの一部は、変換手段により外部機器で再生可能なデータに変換する変換され、転送手段により外部機器に転送されるので、一度配信され記録された番組（メディアコンテンツ）を、携帯電話などの外部機器で再生することができ、利便性を向上させることができるという利点が得られる。
【００１３】
また、請求項２記載の発明によれば、前記変換手段により、前記付与情報判断手段によりメディアコンテンツに複製を禁止する情報が付与されていると判断された場合、当該メディアコンテンツを暗号化して、前記外部機器で再生可能なデータに変換するようにしたので、著作権等が設定されたメディアコンテンツであっても、携帯電話などの外部機器で再生することができ、利便性を向上させることができるという利点が得られる。
【００１４】
また、請求項３記載によれば、第１の受信手段により、配信装置から配信されたメディアコンテンツを記録する記録装置から送信される、前記メディアコンテンツを特定する番組情報を受信し、接続手段により、前記配信装置にネットワークを介して接続し、前記接続手段によって接続された前記配信装置に、情報送信手段により、前記第１の受信手段により受信された番組情報と、当該装置を特定する機器情報とを送信し、第２の受信手段により、前記番組情報と機器情報とに基づいて前記配信装置にてファイル変換されたメディアコンテンツを前記ネットワークを介して受信するようにしたので、一度配信され記録された番組（メディアコンテンツ）を、携帯電話などの外部機器で再生することができ、利便性を向上させることができるという利点が得られる。
【００１５】
また、請求項４記載の発明によれば、第１の受信ステップで、配信装置から配信されたメディアコンテンツを記録する記録装置から送信される、前記メディアコンテンツを特定する番組情報を受信し、接続ステップで、前記配信装置にネットワークを介して接続し、前記接続ステップにて接続された前記配信装置に、情報送信ステップで、前記第１の受信ステップにより受信された番組情報と当該装置を特定する機器情報とを送信し、第２の受信ステップで、前記記番組情報と機器情報とに基づいて前記配信装置にてファイル変換されたメディアコンテンツを前記ネットワークを介して受信するようにしたので、一度配信され記録された番組（メディアコンテンツ）を、携帯電話などの外部機器で再生することができ、利便性を向上させることができるという利点が得られる。
【００１６】
また、請求項５記載の発明によれば、コンピュータに、配信装置から配信されたメディアコンテンツを記録する記録装置から送信される、前記メディアコンテンツを特定する番組情報を受信する第１の受信手段、前記配信装置にネットワークを介して接続する接続手段、前記接続手段によって接続された前記配信装置に、前記第１の受信手段によって受信された番組情報と、当該装置を特定する機器情報とを送信する情報送信手段、前記番組情報と機器情報とに基づいて前記配信装置にてファイル変換されたメディアコンテンツを前記ネットワークを介して受信する第２の受信手段として実行させるようにしたので、一度配信され記録された番組（メディアコンテンツ）を、携帯電話などの外部機器で再生することができ、利便性を向上させることができるという利点が得られる。
【発明を実施するための最良の形態】
【００１７】
以下、本発明の実施の形態を、図面を参照して説明する。
【００１８】
Ａ．実施形態の構成
図１は、本発明の実施形態によるメディアコンテンツシステムの構成を示すブロック図である。図において、デジタル放送システム１は、後述するＷＷＷ３もしくは放送システム１５を介して配信すべきメディアコンテンツを保持・管理する。該デジタル放送システム１は、配信システム１１、認証システム１２、ゲートウェイサーバ１３、メディアコンテンツデータベース１４からなる。
【００１９】
配信システム１１は、メディアコンテンツデータベース１４に記録されているメディアコンテンツを配信する。認証システム１２は、ＷＷＷ３を介して、メディアコンテンツを配信する際のユーザ認証を行う。ゲートウェイサーバ１３は、携帯電話９からのアクセスに従ってセッションの確立する。メディアコンテンツデータベース１４は、複数のメディアコンテンツを記録している。
【００２０】
また、配信システム１１は、後述する携帯電話９からメディアコンテンツを特定するための番組情報、該メディアコンテンツの一部を特定するための時間情報および携帯電話９の機種を特定するための機器情報が送信されてくると、該番組情報、再生時間情報および機器情報に従って、メディアコンテンツデータベース１４に記録されているメディアコンテンツを取り出し、さらにその一部を抽出するなどの編集を行い、該編集したメディアコンテンツを携帯電話９で再生可能なファイル形式に変換し、携帯電話９に転送する。
【００２１】
より具体的には、配信システム１１では、番組情報（放送局、放送時日時、番組名など）に従って、取り出すべきメディアコンテンツを特定し、時間情報（再生開始時刻と終了時刻時刻）に従って、該特定したメディアコンテンツから一部を抽出し、機器情報（携帯電話９の表示能力：表示画面サイズ）に従って、該当番組のメディアコンテンツをＨ．２６４等に代表されるＭＰＥＧ−４形式に変換する。
【００２２】
放送システム１５は、デジタル放送システム１から配信されるメディアコンテンツをＯＦＤＭ（Orthogonal Frequency
Division Multiplexing：直交周波数分割多重）方式で変調して、放送アンテナ１６を介して地上波デジタル放送として一斉放送する。ＩＳＰ（インターネット・サービス・プロバイダ）４は、家庭内ＬＡＮをＷＷＷ３に接続する。
【００２３】
家庭内ＬＡＮには、ルータ＆ＡＤＳＬモデム６を介して、ＤＶＤ／ＨＤＤレコーダ７が接続されている。ルータ＆ＡＤＳＬモデム６は、有線または無線により、ＤＶＤ／ＨＤＤレコーダ７や、後述する携帯電話９を家庭内ＬＡＮに接続する。このとき、ルータ＆ＡＤＳＬモデム６は、家庭内ＬＡＮに接続される機器に対して、ローカルＩＰアドレスを自動的に割り振るＤＨＣＰサーバ機能を有する。なお、ＤＨＣＰサーバ機能をオフにし、固定的なローカルＩＰアドレスを機器に設定することも可能である。テレビ５は、家庭内に設置され、放送システム１５が放送アンテナ１６を介して放送するメディアコンテンツを受信して表示したり、ＤＶＤ／ＨＤＤレコーダ７により再生されたメディアコンテンツを表示したりする。
【００２４】
ＤＶＤ／ＨＤＤレコーダ７は、放送システム１５によって放送されるメディアコンテンツを内蔵チューナにより受信し、ＤＶＤ記録媒体や内蔵のＨＤＤに記録する。上述したメディアコンテンツ（番組データ）には、コピーワンス技術が掛けられている。ユーザは、放送局との契約後、Ｂ−ＣＡＳカードをＤＶＤ／ＨＤＤレコーダ７に装着することにより、メディアコンテンツを視聴できるようになり、内蔵のＨＤＤやＤＶＤ記録媒体に記録できるようになる。但し、ＤＶＤ／ＨＤＤレコーダ７に記録された番組は、原則的に外部に転送できない。
【００２５】
そこで、本実施形態では、該ＤＶＤ／ＨＤＤレコーダ７は、ＤＶＤ記録媒体や内蔵のＨＤＤに記録したメディアコンテンツ（テレビ番組）を特定するための番組情報や該メディアコンテンツの一部を特定する時間情報を、ルータ＆ＡＤＳＬモデム６を介して家庭内ＬＡＮに（無線で）接続された携帯電話９に転送する。携帯電話９は、上記番組情報および時間情報に従って、配信システム１１から該当メディアコンテンツをダウンロードして再生するようになっている。
【００２６】
携帯電話９は、無線でルータ＆ＡＤＳＬモデム６により家庭内ＬＡＮに接続され、ＤＶＤ／ＨＤＤレコーダ７から転送されてくるメディアコンテンツ（テレビ番組）の番組情報や時間情報を保存する。また、携帯電話９は、無線通信サービス事業者（兼ＩＳＰ）２１、ＷＷＷ３を介して配信システム１１に接続し、保存した番組情報および時間情報、ならびに自身の機器情報を配信システム１１に転送する。さらに、配信システム１１によって番組情報や時間情報、機器情報に従って編集されたメディアコンテンツを受信して保存する。該保存したメディアコンテンツは、当該携帯電話用に編集されているので、当該携帯電話９で再生可能である。
【００２７】
無線通信サービス事業者（兼ＩＳＰ）２１は、デジタル放送システム１からＷＷＷ３を介して配信されるメディアコンテンツを受信し、基地局２２、２２、２２を介してそれぞれの通信圏内に配信する。
【００２８】
次に、図２は、本実施形態に係る配信システム１１の主構成を示すブロック図である。図において、管理情報記憶部２０２は、図３に示すように、ＭＰＥＧ−４変換テーブル２０２１、および記録内容テーブル２０２２からなる。ＭＰＥＧ−４変換テーブル２０２１は、図４に示すように、機種（型番）２１１、表示解像度（サイズ）２１２、音声復号化方式２１３、ステレオ再生（の有無）２１４、拡張子２１５からなる。ＭＰＥＧ−４変換テーブル２０２１は、時間情報で指示される、記録されたＭＰＥＧ−２形式のメディアコンテンツの所定のフレーム区間を、再生すべき携帯電話の能力（表示解像度、音声符号化方式）に応じてＭＰＥＧ−４形式のデータに変換するために備えられるもので、機種（型番）２１１が指定されると、それに応じて、表示解像度２１２、音声符号化方式２１３等々が決定され、その方式でＭＰＥＧ−２（ＴＳ）／ＭＰＥＧ−４変換処理部２０４で、対応するＭＰＥＧ−４形式のファイルに変換される。
【００２９】
また、記録内容テーブル２０２２は、図５に示すように、格納位置アドレス２２１、番組フラグ２２２、放送局２２３、番組コード２２４、著作権フラグ２２５、インデックス情報２２６からなる。該記録内容テーブル２０２２は、放送され、メディアコンテンツデータベース１４に保存されたＭＰＥＧ−２形式のファイルの詳細情報を管理記憶する。各番組には、放送局２２３や放送局側で管理され多重化されて受信した番組コード２２４が記録される。放送局２２３は、放送局（チャネル）に相当する。番組コード２２４は、番組を識別するためのコードである。
【００３０】
著作権フラグ２２５がセットされたメディアコンテンツについては、ＭＰＥＧ−４形式のデータに変換した場合、放送局２２３、番組コード２２４に応じた暗号化がかけられ、転送した携帯電話９側でコピーしたり、他の記録媒体に転送したりできないようになっており、仮に転送できたとしても再生できないようになっている。インデックス情報２２６は、当該番組の詳細情報（放映日時／時間、出演者等々）に相当する。
【００３１】
ＭＰＥＧ−２（ＴＳ）／ＭＰＥＧ−４変換処理部２０４は、ＭＰＥＧ−４変換テーブル２０２１の表示解像度２１２、音声符号化方式２１３等々の方式に従って、メディアコンテンツデータベース１４に保存されているＭＰＥＧ−２形式のメディアコンテンツの所定のフレーム区間を、転送・記録させる対象である外部機器（携帯電話９など）の能力（表示解像度、音声符号化方式）に応じてＭＰＥＧ−４形式のデータに変換する。
【００３２】
制御部２０３は、所定のプログラムに従って、各部を制御する。特に、本実施形態では、制御部２０３は、番組情報（放送局、放送時日時、番組名など）に従って、メディアコンテンツを特定し、時間情報（再生開始時刻と終了時刻時刻）に従って、該特定したメディアコンテンツから一部を抽出し、機器情報（携帯電話９の表示能力：表示画面サイズ）に従って、該当番組のメディアコンテンツを編集してＭＰＥＧ−４形式に変換する。通信処理部２０４は、ＷＷＷ３に接続するためのハード＆ソフトウェアである。
【００３３】
次に、図６は、本実施形態によるＤＶＤ／ＨＤＤレコーダ７の構成を示すブロック図である。図において、チューナ部７０１は、ＯＦＤＭ方式により変調された一放送局あたり５．５７ＭＨｚの帯域（１セグメントあたり４２９ＫＨｚ）で１３セグメントに分割された搬送波のうち、中央の１セグメント以外の、１２セグメントのＭＰＥＧ−２（ＴＳ）のデータを受信／復調する。
【００３４】
管理情報記憶部７０２は、図７に示すように、記録内容テーブル７０２２、固有情報テーブル７０２３およびその他設定内容記憶領域７０２４からなる。記録内容テーブル７０２２は、図８に示すように、格納位置アドレス７２２１、番組フラグ７２２２、放送局７２２３、番組コード７２２４、著作権フラグ７２２５、インデックス情報７２２６からなる。
【００３５】
記録内容テーブル７０２２は、記録媒体（ＨＤＤ）７１４、若しくはＤＶＤ等の記録媒体７１３に記録されたＭＰＥＧ−２形式のファイルの詳細情報を管理記憶するものであり、受信したメディアコンテンツも記録できれば、ＤＶＣ（デジタルビデオカメラ）で記録し、取り込んだＭＰＥＧ−２ファイルも管理する。該番組フラグ７２２２は、チューナ部７０１を介して取り込まれたＭＰＥＧ−２（ＴＳ）ファイルに対してセットされるものであり、これがセットされると、放送局７２２３や放送局側で管理され多重化されて受信した番組コード７２２４が記録される。放送局７２２３は、放送局（チャネル）に相当する。番組コード７２２４は、番組を識別するためのコードである。
【００３６】
著作権フラグ７２２５がセットされたメディアコンテンツについては、放送局７２２３、番組コード７２２４に応じた暗号化がかけられ、携帯電話９の外部機器（例えばパーソナルコンピュータなども含まれる）に転送しても再生できないようになっている。インデックス情報７２２６は、当該番組の詳細情報（放映日時／時間、出演者等々）に相当する。
【００３７】
固有情報テーブル７０２３は、記録したメディアコンテンツに対する番組情報および再生時間情報を転送可能な外部機器を認証するための情報を管理記憶する。具体的には、固有情報テーブル７０２３は、図９に示すように、外部機器の固有情報７２３１および備考７２３２からなる。外部機器の固有情報７２３１は、ＤＶＤ／ＨＤＤレコーダ７で記録したメディアコンテンツに対する番組情報および再生時間情報の転送が許可された外部機器（契約時に許可指定した携帯電話やポータブルメディアプレーヤなど）を一意に特定する情報であり、家庭内ＬＡＮにおけるローカルＩＰアドレスやネットワークアダプタを識別するために一意に割り振られているＭＡＣアドレスなどからなる。備考７２３２は、外部機器を明示するために付加情報である。
【００３８】
制御部７０３は、所定のプログラムに従って、各部を制御する。特に、本実施形態では、制御部７０３は、記録媒体（ＨＤＤ）７１４、若しくはＤＶＤ等の記録媒体７１３に記録されたＭＰＥＧ−２形式のメディアコンテンツの一覧表示、選択されたメディアコンテンツのインデックス（放送局／番組情報など）の表示、メディアコンテンツの所定フレーム区間の決定、外部機器である携帯電話９の認証、メディアコンテンツを特定するための番組情報および時間情報の携帯電話９への転送制御などを行う。
【００３９】
ＭＰＥＧ−２（ＴＳ）復号化回路７０４は、チューナ部７０１により受信／復調されたＭＰＥＧ−２（ＴＳ）ファイルのＴＳに従って、ビデオデータやオーディオデータ、データ放送用の各種データをデコードする。映像処理部７０５は、出力すべき機器（ＴＶ５、ビデオモニタ、ＰＣ等）に応じて映像を最適化する。音声処理部７０６は、出力すべき機器（ＴＶ５、ビデオモニタ、ＰＣ等）に応じて音声を最適化する。
【００４０】
ＡＶ  Ｉ／Ｏ７０７は、映像処理部７０５からの映像、音声処理部７０６からの音声をテレビ５へ出力する。通信処理部７０８は、上述したルータ＆ＡＤＳＬモデム６を介して、家庭内ＬＡＮに接続のためのハード＆ソフトウェアである。操作部７１０は、リモートコントローラを含み、チャンネルボタン、音量ボタン、電源ボタン、再生、録画、巻き戻し、早送り、一時停止などを備えている。
【００４１】
特に、本実施形態では、リモートコントローラを含む操作部７１０は、記録済データの一覧表示を指示したり、外部記録媒体８に書き出すメディアコンテンツを選択したり、外部記録媒体８に書き出すメディアコンテンツの所定フレーム区間（第１のインデックスマークから第２のインデックスマークまでの区間）を指定するために用いられる。
【００４２】
書き込み／読み出し処理部７１２は、ＤＶＤメディア７１３へＭＰＥＧ−２形式のデータを記録する一方、ＤＶＤメディア７１３に記録されているＭＰＥＧ−２形式のデータを読み出す。記録媒体（ＨＤＤ）７１４は、ＭＰＥＧ−２形式で録画データを記録する。ＲＡＭ７１５は、制御部７０３のワーキングエリア、各種データの一時記録エリア、パラメータの記録エリア等からなる。
【００４３】
次に、図１０は、本実施形態に係る携帯電話９の蓋を開いた状態の正面図に相当する外観図である。図示のように、蓋部３２は、本体部３３に対し第１ヒンジ部１００を回転軸として開閉可能（矢印α）に配置されているほか、第２ヒンジ部４２を回転軸として回転可能（矢印β）になっている。蓋部３２は、スピーカ３５、表示部３６、サブスピーカ３７、データ通信用の内蔵アンテナ（図示略）を内蔵している。
【００４４】
スピーカ３５は、ダイナミックスピーカであり、蓋部３２の内面に配置されている。表示部３６は、蓋部３２の内面に配置され、１６：９のアスペクト比の映像表示が可能な２．７ｉｎｃｈ（２４０×４２８ドット）ＴＦＴ液晶（ＱＶＧＡもしくは、ＨＶＧＡ相当の解像度を備える）カラー液晶からなる。第１ヒンジ部１００は、蓋部３２に連繋されて該蓋部３２と一体的に回転する可動部１０１と、本体部３３側に固定されるとともに可動部１０１の両側に設けられた左右一対の固定部１０２、１０３とで構成されている。
【００４５】
本体部３３は、キー入力部８０とマイク４０とを備える。キー入力部８０は、メニュー表示時におけるフォーカス移動のための十字キー８１、決定のための決定キー８２、アドレス帳データ閲覧のためのアドレス帳キー８３、ネットワーク接続を指示するためのネットワーク接続キー８４、ムービー再生モードを起動させるためのムービー再生キー８５、メールモード（受信、作成、編集、送信）を起動させるためのメールキー８６、オフフックキー８７、クリアキー８８（キャンセル検出）、オンフックキー８９（オールクリア：着信待ち状態にジャンプ指示）、電話番号や文字記号を入力するためのテンキー８１０等からなる。
【００４６】
ここで、図１１は、携帯電話９をムービー再生モードでユーザが保持している場合を示す模式図である。上述した携帯電話９は、第１ヒンジ部１００を回転軸として１８０度回転させ、かつ第２ヒンジ部４２を回転軸として９０度回転させ、図７に示すように、表示部３６を横長方向にして両手ＬＨ、ＲＨで把持することで、１６：９のワイド画面でメディアコンテンツを観賞することができるようになっている。
【００４７】
次に、図１２は、本実施形態による携帯電話９の構成を示すブロック図である。図において、受信信号処理部９０１は、データ通信モードの開始指示をスイッチ回路９０５１より受けると、外部の無線基地局とのネゴシエーション（端末認証、回線接続）を開始し、通信帯域幅を一時的に占有する処理を行う。そして、内蔵アンテナ９０２により受信された無線信号より自機宛に符号変調された信号を抽出して、スイッチ回路９０５１を介して通信データ処理部９０５２に出力する。
【００４８】
通信信号処理部９０３は、待受け状態においても、また、データ通信モードにおいても、常に電源供給されており、通信データ処理部９０５２からのデジタル変調信号（送信音声データ、メールデータ、ネットワーク接続情報を含むパケットデータ）を、符号変調してメインアンテナ９０４より出力する。また、一方で、無線基地局より送信され、メインアンテナ９０４により受信された無線信号より自機宛に符号変調された信号を抽出して、スイッチ回路９０５１を介して通信データ処理部９０５２に出力する。
【００４９】
第１制御部９０５は、無線基地局、及びその後段にあたる、通信サービス事業者、インターネット等のネットワークインフラを介して接続されるデータベース等の、情報資源との接続制御を中心とした処理を行う。なお、本実施の形態においては、携帯電話９は２つの制御部を備えており、通信処理全般については第１制御部９０５、その他、撮影処理、画像処理、および、映像の再生処理に関しては後述の第２制御部９０９で行う。
【００５０】
スイッチ回路９０５１は、通信データ処理部９０５２からの制御信号を受け、受信信号処理部９０１、通信信号処理部９０３への電源供給、処理動作開始終了の制御を行う。詳細には、通常電源オン状態、もしくは、受信ＯＮモード状態であれば、通信信号処理部９０３のみに電源を供給して動作させ、一方で、ユーザがネットワーク接続キーを操作したか、あるいは、予め設定されたスケジュールに従い、データ通信モードの開始が指示された場合は、受信信号処理部９０１と通信信号処理部９０３とを動作させる。
【００５１】
通信データ処理部９０５２は、音声処理部９０５５より出力されたＣＥＬＰ系デジタル音声データをＰＳＫ系方式に対応する信号に変調、及び拡散符号に変調するとともに、受信信号処理部９０１、通信信号処理部９０３にて受信される符号変調された信号をＰＳＫ系方式、及び／又は、ＱＡＭ系方式のデジタル信号に復号する処理を行う。
【００５２】
システムＲＯＭ９０５３は、通信制御のための制御プログラムを格納する。本実施の形態の特徴としては、通常の通信ネゴシエーションプログラムの他に受信信号処理部９０１と通信信号処理部９０３との動作切替制御プログラムを記憶する。これにより、データ通信モードの開始が指示された場合に、メインアンテナ９０４と内蔵アンテナ９０２によるスペースダイバーシチ受信を行わせて、一時的に通信帯域幅を占有し、受信信号処理部９０１、通信信号処理部９０３の双方より出力される符号変調された信号をほぼ同時にＱＡＭ系方式のデジタル信号に復号、合成して、インターフェース処理部９０５４を介してバス９０８に出カする。
【００５３】
音声処理部９０５５は、ＣＥＬＰ系の音声変調／復調システムと、ＭＰＥＧオーディオ系の音声復調システムとを備え、通話状態においては、スイッチ回路９０５６に供給してスピーカ３５から出力するとともに、マイク４０から入力される音声を取り込む。
【００５４】
スイッチ回路９０５６は、通話状態においては、音声処理部９０５５から出力されるアナログ音声をメインスピーカ３５から出力させるともに、後述のムービー再生モードにおいては、オーディオアンプ９０５７を介してムービーファイルに格納されるオーディオ信号をメインスピーカ３５から出力させる処理を行う一方、ムービーファイルに格納されるオーディオデータがステレオ対応である場合、オーディオ信号（Ｒ）をメインスピーカ３５から出力させる処理を行う。スイッチＳＷは、第２制御部２２からの制御により、ムービーファイルに格納されるオーディオデータがステレオ対応である場合、音声出力系ドライバ９１６からのオーディオ信号（Ｌ）をサブスピーカ３７に出力する。
【００５５】
第２制御部９０９は、ムービー再生モードにおけるデータ通信モードによりダウンロードしたムービーファイルや、カメラモードにおける静止画／動画の再生表示処理、及び、カメラモードにおける撮影処理全般の制御、また、本発明においては、データ通信モードによりダウンロードしたＨＥ−ＡＡＣ形式のオーディオファイルを伸張・復号して再生可能な楽音データに変換する処理も行う。
【００５６】
プログラムＲＯＭ９１０は、ムービー再生モード、カメラモード、アラーム報知の際のオーディオファイルの伸張・復号・再生出力に関する各処理プログラムを格納する。ＲＡＭ９１１は、データ通信処理や、音声通信において必要とされる各種データを記憶する。該ＲＡＭ９１１は、ルータ（ＡＤＳＬモデム）６により家庭内ＬＡＮに接続される際に割り振られる（あるいは固定的に設定された）ＩＰアドレス９１１１を記憶する。上述したように、ＤＶＤ／ＨＤＤレコーダ７がメディアコンテンツの複製可能な外部機器をＩＰアドレスで認証する場合には、上記ＩＰアドレス９１１１が用いられる。
【００５７】
圧縮伸張処理部９１２は、ＭＰＥＧ−２、ＭＰＥＧ−４に対応し、カメラモードにて撮影された静止画／動画を圧縮処理するとともに、ムービー再生モードにおけるデータ通信モードによりダウンロ−ドしたムービーファイルや、カメラモードにおける静止画／動画、外部記憶媒体８に記憶されているメディアコンテンツを伸張処理する。
【００５８】
報知ドライバ９１３は、着信処理を検出した際、これを光の点滅や、着信報知音、アラーム報知におけるアラーム音や楽曲などにより報知せしめるために報知用ＬＥＤ９１４、スピーカ９１５を動作させる。音声出力系ドライバ９１６は、ムービー再生モードや、アラーム報知における楽曲の再生においては、ムービーファイルに格納されるオーディオデータやオーディオファイルがステレオ対応である場合、ステレオ音声信号を出力する。スイッチＳＷは、楽曲の再生において、ステレオ対応である場合、第２制御部９０９からの制御により、オン状態となる。
【００５９】
無線ＬＡＮ通信部９２０は、アンテナ９２１、９２２を用いた無線で、上述したルータ（ＡＤＳＬモデム）６により家庭内ＬＡＮに接続するためのものである。該無線ＬＡＮ通信部９２０には、ＭＡＣアドレス９２０１が設定されている。上述したように、ＤＶＤ／ＨＤＤレコーダ７がメディアコンテンツの複製可能な外部機器をＭＡＣアドレスで認証する場合には、上記ＭＡＣアドレス９２０１が用いられる。
【００６０】
また、カメラレンズ９３０の後段には、ＣＣＤ、若しくはＣＭＯＳ等のイメ−ジセンサと光学ズーム用のステップモータからなる撮像デバイス９３１と、この撮像デバイスで撮り込まれたアナログ信号をデジタル信号に変換し、イメージデータを生成するためのＤＳＰ９３２とが備えられている。メモリカードスロット９４０には、ＳＤカードなどの外部記録媒体９４１が装着される。
【００６１】
表示部３６は、１６：９のアスペクト比の映像表示が可能な２．７ｉｎｃｈ（２４０×４２８ドット）ＴＦＴ液晶（ＱＶＧＡもしくは、ＨＶＧＡ相当の解像度を備える）カラー液晶からなる。表示バッファ９４２は、表示部３６に表示すべき画像データを一時的に格納する。該表示バッファ９４２に格納された画像データは、所定のタイミングで更新される。表示ドライバ９４３は、表示バッファ９４２への書き込み開始／終了アドレスの制御を行う。特に、ムービー再生モードにおいては、表示部３６の長手方向を横位置として動画を再生表示すべく、表示ドライバ９４３にワイドスクリーン表示が設定される。
【００６２】
Ｂ．実施形態の動作
次に、上述した実施形態の動作について説明する。
Ｂ−１．番組情報取得動作（ＤＶＤ／ＨＤＤレコーダ７）
図１３および図１４は、ＤＶＤ／ＨＤＤレコーダ７の番組情報取得動作を説明するためのフローチャートである。まず、記録済データの一覧表示の指示を検出したか否かを判断し（ステップＳ１０）、一覧表示指示が検出されない場合には、他の該当処理へ進む（ステップＳ１２）。一方、記録済データの一覧表示の指示を検出した場合には、管理情報記憶部７０２から記録済データの一覧を読み出し、テレビ５に出力する（ステップＳ１４）。
【００６３】
次に、記録済データの選択操作を検出したか否かを判断し（ステップＳ１６）、テレビ５に表示されている記録済データの一覧から、いずれかの記録済データが選択されると、選択された記録済データのインデックス（詳細：例えば放送局／番組情報）をテレビ５に表示出力する（ステップＳ１８）。次に、再生指示が検出されたか否かを判断する（ステップＳ２０）。そして、再生指示が検出されると、その記録済データを再生出力し（ステップＳ２２）、書き出し実行指示が検出されたか否かを判断する（ステップＳ２４）。書き出し実行指示が検出されない場合には、記録済データの再生出力を継続する。
【００６４】
一方、書き出し実行指示が検出されると、指示検出時点のストリームデータに第１のインデックスマークを記録する（ステップＳ２６）。次に、書き出し終了指示が検出されたか否かを判断し（ステップＳ２８）、指示が検出されなければ、再生終了指示が検出されたか否かを判断する（ステップＳ３０）。そして、再生終了指示が検出さなければ、ステップＳ２８へ戻り、上記判断処理を継続する。したがって、再生出力が継続される。一方、書き出し終了指示または再生終了指示が検出されると、第２のインデックスマークを記録する（ステップＳ３２）。
【００６５】
次に、第１のインデックスマークと第２のインデックスマークとに従って、ダウンロードすべきメディアコンテンツの一部を示す時間情報（再生開始時刻＆再生終了時刻）を取得する（ステップＳ３４）。そして、該当データの番組情報（放送局７２２３、番組コード７２２４）および上記時間情報（再生開始時刻＆再生終了時刻）を表示し（ステップＳ３６）、これら番組情報および時間情報を携帯電話９に転送する（ステップＳ３８）。その後、メインルーチンへ戻る。
【００６６】
Ｂ−２．配信システム１１から携帯電話９へのコンテンツ転送処理
（１）携帯電話９での処理
図１５は、本実施形態による配信システム１１から携帯電話９へのコンテンツ転送処理における、携帯電話９での動作を説明するためのフローチャートである。携帯電話９では、まず、ユーザによる接続指示が検出されたか否かを判断し（ステップＳ６０）、接続指示が検出された場合には、無線基地局２２、無線通信サービス事業者２１、ＷＷＷ３を介して配信システム１１への接続を開始し（ステップＳ６２）、外部機器の固有情報（認証情報：ユーザＩＤ、パスワードなど）を配信システム１１に送信する（ステップ６４）。次に、デジタル放送システム１により認証されたか否かを判断する（ステップＳ６６）。そして、認証されなかった場合には、エラー表示し（ステップＳ６８）、当該処理を終了してメインルーチンへ戻る。
【００６７】
一方、デジタル放送システム１により認証された場合には、配信システム１１にダウンロードしたいデータの番組情報、時間情報（再生開始時刻＆再生終了時刻）および機器情報を送信する（ステップＳ７０）。次に、配信システム１１から該当データを受信したか否かを判断し（ステップＳ７２）、該当データを受信すると、ＲＡＭ９１１または外部記録媒体９４１に保存する（ステップＳ７４）。該データは、番組情報で示される番組であり、さらに、時間情報および機器情報に従って編集されたメディアコンテンツである。
【００６８】
次に、受信したメディアコンテンツに対する再生指示が検出されたか否かを判断し（ステップＳ７６）、再生指示が検出されない場合には、当該処理を終了してメインルーチンへ戻る。一方、再生指示が検出された場合には、ＭＰＥＧ−４形式のメディアコンテンツをデコードして再生出力する（ステップＳ７８）。次に、再生の終了を検出したか否かを判断し（ステップＳ８０）、再生の終了が検出されるまで、再生出力を継続する。一方、再生の終了を検出した場合には、当該処理を終了してメインルーチンへ戻る。
【００６９】
（２）デジタル放送システム１での処理
図１６および図１７は、本実施形態による配信システム１１から携帯電話９へのコンテンツ転送処理における、デジタル放送システム１での動作を説明するためのフローチャートである。デジタル放送システム１では、まず、外部機器（携帯電話９）からの接続要求が検出されたか否かを判断し（ステップＳ９０）、外部機器（携帯電話９）からの接続要求が検出された場合には、接続要求した外部機器（携帯電話９）から送信されてくる、該外部機器の固有情報（ユーザＩＤ、パスワード）を受信する（ステップＳ９２）。
【００７０】
次に、再生許可されている外部機器の固有情報を管理情報記憶部２０２から読み込み（ステップＳ９４）、受信した固有情報と読み込んだ固有情報とを照合し（ステップＳ９６）、読み込んだ固有情報に受信した固有情報が含まれているか、すなわち再生許可されている外部機器として登録されているかを判断する（ステップＳ９８）。
【００７１】
そして、再生許可されている外部機器として登録されていない場合には、エラー表示（またはエラーである旨を外部機器に送信）する（ステップＳ１００）。一方、再生許可されている外部機器として登録されている場合には、外部機器（携帯電話９）から該当データの番組情報、時間情報および機器情報を受信し（ステップＳ１０２）、配信システム１１により、番組情報によって指定されたメディアコンテンツを、メディアコンテンツデータベース１４から取り出す（ステップＳ１０４）。次に、機器情報に従って、携帯電話９の機種に合わせた画面サイズ、映像符号化／音声符号化方式を設定し（ステップＳ１０６）、取り出したデータのインデックス（詳細）を表示出力する（ステップＳ１０８）。
【００７２】
次に、選択されたデータに複製禁止情報が付与されているか否かを判断する（ステップＳ１１０）。そして、複製禁止情報が付与されている場合には、選択されたデータのインデックス（詳細）の書き出しを指示し（ステップＳ１１２）、暗号化のためのコードを設定する（ステップＳ１１４）。次に、時間情報に従って、再生開始時刻から再生終了時刻までの部分を取り出し、機器情報に基づく画面サイズ、映像符号化／音声符号化方式に従って、ＭＰＥＧ−４形式のファイルに変換し（ステップＳ１１６）、外部機器である携帯電話９に送信する（ステップＳ１１８）。その後、メインルーチンへ戻る。
【００７３】
一方、複製禁止情報が付与されていない場合には、上記ステップＳ１１２、Ｓ１１４を実行することなく、時間情報に従って、再生開始時刻から再生終了時刻までの部分を取り出し、画面サイズ、映像符号化／音声符号化方式に従って、ＭＰＥＧ−４形式のファイルに変換し（ステップＳ１１６）、外部機器である携帯電話９に送信する（ステップＳ１１８）。その後、メインルーチンへ戻る。
【００７４】
上述した実施形態では、家庭内のＨＤＤ／ＤＶＤレコーダ７で記録したメディアコンテンツを携帯電話９などの外部機器で再生したい場合、メディアコンテンツ自体の複製、転送を行うことなく、コンテンツを特定するための番組情報および時間情報のみを携帯電話９などの外部機器に転送し、その後、携帯電話９などの外部機器から無線通信業者２１を介してネットワークに接続し、放送局システム１に上記番組情報、時間情報および機器情報を送信し、放送局システム１の配信システム１１側で、番組情報、時間情報および機器情報に従って、携帯電話９などの外部機器の再生能力に合わせたファイル形式に、メディアコンテンツを編集・変換して外部機器に送信し、携帯電話９などの外部機器側でこれをダウンロードするようにしたので、家庭内で録画したメディアコンテンツを外へ持ち出すことなく、所望のコンテンツを携帯電話９などの外部機器で視聴することが可能となり、利便性を向上させることができる。
【図面の簡単な説明】
【００７５】
【図１】本発明の実施形態によるメディアコンテンツシステムの構成を示すブロック図である。
【図２】本実施形態に係る放送システム１の主構成を示すブロック図である。
【図３】放送システム１の管理情報記憶部２０２のデータ構成を示す概念図である。
【図４】ＭＰＥＧ−４変換テーブル２０２１のデータ構成を示す概念図である。
【図５】記録内容テーブル２０２２のデータ構成を示す概念図である。
【図６】本実施形態によるＤＶＤ／ＨＤＤレコーダ７の構成を示すブロック図である。
【図７】ＤＶＤ／ＨＤＤレコーダ７の管理情報記憶部７０２のデータ構成を示す概念図である。
【図８】記録内容テーブル７０２２のデータ構成を示す概念図である。
【図９】固有情報テーブル７０２３のデータ構成を示す概念図である。
【図１０】本実施形態による携帯電話９の外観を示す模式図である。
【図１１】本実施形態による携帯電話９をムービー再生モードでユーザが保持している場合を示す模式図である。
【図１２】本実施形態による携帯電話９の構成を示すブロック図である。
【図１３】ＤＶＤ／ＨＤＤレコーダ７の番組情報取得動作を説明するためのフローチャートである。
【図１４】ＤＶＤ／ＨＤＤレコーダ７の番組情報取得動作を説明するためのフローチャートである。
【図１５】本実施形態によるデジタル放送システム１から携帯電話９へのコンテンツ転送処理における、携帯電話９での動作を説明するためのフローチャートである。
【図１６】本実施形態によるデジタル放送システム１から携帯電話９へのコンテンツ転送処理における、デジタル放送システム１での動作を説明するためのフローチャートである。
【図１７】本実施形態によるデジタル放送システム１から携帯電話９へのコンテンツ転送処理における、デジタル放送システム１での動作を説明するためのフローチャートである。
【符号の説明】
【００７６】
１  デジタル放送システム（配信装置）
３  ＷＷＷ
４  ＩＳＰ（インターネット・サービス・プロバイダ）
５  テレビ
６  ルータ＆ＡＤＳＬモデム
７  ＤＶＤ／ＨＤＤレコーダ（記録装置）
８  外部記録媒体
９  携帯電話（外部機器）
１１  配信システム（受信手段）
１２  認証システム（接続要求検出手段）
１３  ゲートウェイサーバ
１４  メディアコンテンツデータベース（保存手段）
１５  放送システム
１６  放送アンテナ
２１  無線通信サービス事業者
２２、２２、２２  基地局
２０２  管理情報記憶部
２０３  制御部（コンテンツ取出手段、コンテンツ抽出手段、判断手段、付与情報判断手段）
２０４  ＭＰＥＧ−２（ＴＳ）−ＭＰＥＧ−４変換処理部（変換手段）
２０５  通信処理部（転送手段）
２０２１  ＭＰＥＧ−４変換テーブル
２０２２  記録内容テーブル
７０１  チューナ部
７０２  管理情報記憶部
７０２２  記録内容テーブル
７０２３  固有情報テーブル
７０２４  その他設定内容記憶領域
７０３  制御部
７０４  ＭＰＥＧ−２（ＴＳ）復号化回路
７０５  映像処理部
７０６  音声処理部
７０７  ＡＶ  Ｉ／Ｏ
７０８  通信処理部（受信手段、転送手段、第１の送信手段）
７１０  操作部
７１２  書き込み／読み出し処理部
７１３  ＤＶＤメディア（記録手段）
７１４  ＨＤＤ（記録手段）
７１５  ＲＡＭ
３２  蓋部
３３  本体部
４２  第２ヒンジ部
３５  メインスピーカ
３６  表示部
３７  サブスピーカ
４０  マイク
８０  キー入力部
８１０  テンキー
８１  十字キー
８２  決定キー
８３  アドレス帳キー
８４  ネットワーク接続キー
８５  ムービー再生キー
８６  メールキー
８７  オフフックキー
８８  クリアキー
８９  オンフックキー
１００  第１ヒンジ部
１０１  可動部
１０２  固定部
９０１  受信信号処理部（接続手段、第２の受信手段）
９０２  内蔵アンテナ（接続手段、第２の受信手段）
９０３  通信信号処理部（接続手段、情報送信手段、第２の受信手段）
９０４  メインアンテナ（接続手段、情報送信手段、第２の受信手段）
９０５  第１制御部（接続手段、情報送信手段、第２の受信手段）
９０５１  スイッチ回路
９０５２  通信データ処理部
９０５３  システムＲＯＭ
９０５４  インターフェース処理部
９０５５  音声処理部
９０５６  スイッチ回路
９０５７  オーディオアンプ
９０８  バス
ＳＷ  スイッチ
９０９  第２制御部
９１０  プログラムＲＯＭ
９１１  ＲＡＭ
９１１１  ＩＰアドレス
９１２  圧縮伸張処理部
９１３  報知ドライバ
９１４  報知用ＬＥＤ
９１５  スピーカ
９１６  音声出力系ドライバ
９２０  無線ＬＡＮ通信部（第１の受信手段）
９２０１  ＭＡＣアドレス
９３０  カメラレンズ
９３１  撮像デバイス
９３２  ＤＳＰ
９４０  メモリカードスロット
９４２  表示バッファ
９４３  表示ドライバ
【図１】
2007006148.tif 000003
【図２】
2007006148.tif 000004
【図３】
2007006148.tif 000005
【図４】
2007006148.tif 000006
【図５】
2007006148.tif 000007
【図６】
2007006148.tif 000008
【図７】
2007006148.tif 000009
【図８】
2007006148.tif 000010
【図９】
2007006148.tif 000011
【図１０】
2007006148.tif 000012
【図１１】
2007006148.tif 000013
【図１２】
2007006148.tif 000014
【図１３】
2007006148.tif 000015
【図１４】
2007006148.tif 000016
【図１５】
2007006148.tif 000017
【図１６】
2007006148.tif 000018
【図１７】
2007006148.tif 000019